(57)【要約】【課題】鎖の網のように繋げられるリングで、工芸または手芸などの造形用材となる基本的な機能と形状を備えた繋脱自在チェーンリングを提供。そして、多彩色なリングにより創造的な活動のデザイン用、知育用、アクセサリー用材として、また、このリングを材料にして新スポーツ用ボールの手作りのための補助装置の提供。【解決手段】リング同士を繋ぐための開閉口の開閉は、リング体を構成する素材として合成樹脂の弾性を利用し、一重のリングで突合せ状に閉口する。手作りのための補助装置は、作業台にリングを仮固定するための埋め込み用のポケットを設計図に基づいて配設する。【選択図】        図５
2006043456.tif 000002
【特許請求の範囲】
【請求項１】
弾性体よりなる一重のリング（１ａ、１ｂ）に、該リング（１ａ、１ｂ）の同軸に於いて突合せ状に閉口する開閉口（２ａ、２ｂ）を設け、該開閉口（２ａ、２ｂ）の開閉は該リング（１ａ、１ｂ）の弾性を利用しておこない、閉口しているときの該開閉口（２ａ、２ｂ）のリング周壁の継ぎ目部分には、受け口機能をもつ段差がないことを特徴とする繋脱自在チェーンリング。
【請求項２】
開閉口（１２ａ）の突合せ面双方に、リング（１１ａ）の同軸方向に於いて嵌脱する結合部（１３ａ）を設けることを特徴とする請求項１記載の繋脱自在チェーンリング。
【請求項３】
開閉口（２２）の突合せ面双方に、リング（２１）の同軸方向に於いて螺嵌脱する結合部（２３）を設けることを特徴とする請求項１記載の繋脱自在チェーンリング。
【請求項４】
リングを弧状の複数のリングに分割して切り離し、切り離されたそれぞれのリング片（３１ａ、３１ｂ）の両端に、リング片（３１ａ、３１ｂ）の軸方向に於いて螺嵌脱する結合部（３３ａ、３３ｂ）を設け、前記リング片（３１ａ、３１ｂ）の結合により成ることを特徴とする請求項３記載の繋脱自在チェーンリング。
【請求項５】
リング断面（２５、３５）が長円形であることを特徴とする請求項３、又は４記載の繋脱自在チェーンリング。
【請求項６】
閉口する開閉口（１２ｂ）の接合部（１３ｂ）が面接合による閉口であることを特徴とする請求項１記載の繋脱自在チェーンリング。
【請求項７】
請求項３又は４記載の繋脱自在チェーンリングに於いて、開閉口を結合する際、前もって、開閉口（２２、３２ａ、３２ｂ）の突合せ双方をリング（２１、３１ａ、３１ｂ）の同軸に於いて結合回転方向とは逆の方向に捩り、そのときリング体に生じる捩じり応力による反発回転と共に、同軸において螺嵌結合する使用方法。
【請求項８】
丸環のリングであることを特徴とする請求項１から６の何れか１項記載の繋脱自在チェーンリング。
【請求項９】
作業台（４６）に請求項１から６の何れか１項記載の繋脱自在チェーンリングを仮固定する機能を設けた補助装置。
【請求項１０】
設計図に基づいて作業台（５６）の作業面にポケット（５８、５８ａ、５８ｂ、５８ｃ、・・・）の位置を配置、または、配設することを特徴とする請求項９記載の補助装置。
【請求項１１】
弾性体よりなる一重のリング（２１）に、該リング（２１）の同軸に於いて突合せ状に閉口する開閉口（２２）を設け、該開閉口（２２）の開閉は該リング（２１）の弾性を利用しておこない、開閉口（２２）にはリング（２１）の同軸方向に於いて螺嵌脱する結合部（２３）を設けることを特徴とする繋脱自在ジョイント。
【発明の詳細な説明】
【技術分野】
【０００１】  本発明は、弾性体よりなる繋脱（リング同士を繋いだり外したりすること）自在チェーンリング並びにその使用方法、及び該繋脱自在チェーンリングを造形用材として使い、手作りによる造形作業をするための補助装置に関する。
【背景技術】
【０００２】  従来、リング体を形成する素材の弾性を利用して開閉口が開閉する合成樹脂製のチェーンリングとしては、例えば意匠登録１４０１９０がある。このリングは、開閉口の部分がコイル状に二重になっている丸環（丸形のリング）の造形玩具である。
【発明が解決しようとする課題】
【０００３】  このチェーンリングには次のような欠点があった。
（イ）リングを鎖のようにリング同士を繋ぐ（以下、繋環という）場合、リング同士の面を同じ面で８の字状に突合せ、二重部分の隙間（この隙間は受口的機能を持つ）に押し込むようにして、スプリング状に開閉口を開き、さらに、挿入して二重部分をクリアーして繋環されるが、この丸環の互いの面はこのとき懸吊状態での直交した面になろうとする捻りの動きを伴う。この捻りの動きは無造作に繋環すると思わぬ方向に捩じれ、鎖の網のような複雑な造形では思うような結果が得られないことが多い。
（ロ）一つのリングに同時に数個のリングを繋いで、平面方向、または、立体方向へと任意に造形していく中で、リングの一重部分と、開閉口の二重部分の段差が邪魔してバランスのよい繋環ができない。また、この二重部分がデザイン面でも好ましくない。
以上のように、工芸または手芸材となり得る基本的な形状と機能を備えていないので、繋いで遊ぶおもちゃのイメージから抜け出せない。
【０００４】  これらの欠点から次のような課題が提起される。
（イ）工芸または手芸にも使える造形用のチェーンリングとしてとしては、洗練された基本的な形状と機能。
（ロ）一つのリングに数個のリングでもバランスよく繋げられること。
（ハ）閉口時に於ける開閉口の継ぎ目は目立たないこと。
（ニ）リング同士の繋環は互いに直交した面を保持した状態で、捩れのないイメージしやすい動きの中でできること。
（ホ）繋脱しやすい簡便な構造のチェーンリング。
【０００５】  次に、チェーンリングによる造形作業の手助けとなる補助装置についてであるが、あるイメージに基づいて繋環による造形作業を進める中で、鎖特有の遊動的な不安定さによりイメージした形が維持できず崩れてしまうことがある。特に、立体的な構造による造形は複雑で緻密な作業を伴い、ミスも重なり効率的な作業ができない。出来れば安定した作業環境の中で楽しみながらできる補助装置が望まれる。本発明は、これらの欠点および課題を解決するためになされたものである。
【課題を解決するための手段】
【０００６】  上記目的を達成するために、本発明の繋脱自在チェーンリングにおいては、弾性体よりなる一重のリングに突合せ状に閉口する開閉口を設け、この開閉口の突合せ面双方は常態において閉口している。また、閉口する開閉口の突合せは、少なくともリング断面の輪郭部に該当する部分が接合状態である。即ち、閉口口のリング周壁は受口になるような段差がない。なお、開閉口の開閉はリングの弾性を利用しておこなう。
【０００７】  また、上記開閉口の突合せ面双方に、リングの同軸に於いて嵌脱（嵌めたり外したりすること）する結合部を設けてもよい。
【０００８】  あるいは、上記開閉口の突合せ面双方に、螺嵌脱（同軸に於いてねじって嵌めたり外したりすること）する結合部を設けるのもよい。
【０００９】  また、リングを弧状の幾つかのリングに分割して切り離し、切り離されたそれぞれのリング片の両端に、リング片の軸方向に於いて螺嵌脱する結合部を設け、このリング片同士を結合することによりチェーンリングを構成することもできる。その際、請求項３、又は４記載の繋脱自在チェーンリングに於いては、後記による理由によりリング断面２５、３５を略長円形のリングにすることが好ましい。
【００１０】  また、開閉口の突合せ面をリングの同軸に於いて、面接合（当接又は近接、或は圧接による面接合で、その面は平面、又は同心円断面（例えばカップ状、波紋状、略凹凸状による））させた状態の閉口でもよい。
【００１１】  なお、請求項３又は４記載の繋脱自在チェーンリングに於いて、開閉口を結合する際、前もって、開閉口の突合せ双方をリングの同軸に於いて結合回転方向とは逆の方向に捩り、そのときリング体に生じる捩じり応力による反発回転と共に、螺嵌により結合する使用方法がある。
【００１２】  また、上記の繋脱自在チェーンリングを丸環のリングにすることにより造形用材料として基本的な機能と形状を備え、後記「発明の効果」の項に記載のように造形用チェーンリングとして用途性が広がる。
【００１３】  次に、前記の造形用チェーンリングを材料にして造形する手作りのための補助装置の構成においては、作業台の作業面にリングを仮固定する機能を設ける。即ち、作業台の作業面に塑性体による層、又はブラシ状のシートを設け、その任意の所にリングの一部を埋めて仮固定することもできる。
【００１４】  また、所定形状の造形物の場合は、仮固定する機能として設計図に基づいて作業台の作業面にポケットの位置を配置、または配設するとよい。作業台はウレタンフォームなどの柔らかいスポンジで、リングを仮固定するための溝、又は切り込みによるポケットを形成する。
【００１５】  上記のように構成された繋脱自在チェーンリングにおいて、開閉口を押し開く際には、指または工具（例えばスナップリングプライヤー）で押し開く。このときリング体を構成する素材の反発弾性により、応力が働き自動的に閉口しようとする。また、リングを繋脱するとき必要な開閉口の開口幅が少なくともリングの太さ分は必要になるが、この開口幅に広げたとき、リング体に生じる撓みの反発応力により閉口しようとする働きが得られる。すなわち、リングを構成する素材の弾性の強さと、リングの太さが閉口しようとする働きの強さに関係する。
【００１６】  なお、請求項３又は４記載の繋脱自在チェーンリングに於いて、結合状態の開閉口を押し開く際には、ねじ戻しをした上で押し開くが、この螺嵌脱のための捩じり回転の度合いは両手の指先で摘んで一ひねりの感じとリングの捩じり弾性の関係から、開閉口の突合せ双方に於いて相対的に４分の１回転程度の小さい回転が目安となる。そして、捩じるときの捩じり易さと、捩じり角度を知る目安として有効に働くのが請求項５に示す断面略長円形のリングである。また、丸環のリングの場合などは、開閉口の開閉動作に些少の軸ずれを伴うが、開閉口の結合部のミスマッチを最少にするため挿入深度は小さい方が好ましい。そして、リング体に使われる素材の柔軟性と結合部の機械的な遊びなどによりミスマッチを吸収する。
【発明を実施するための最良の形態】
【００１７】  以下、本発明の実施の形態を実施例にもとづき図面を参照して説明する。本発明の実施例に於いて弾性体よりなるリングは、合成樹脂を素材にしたものである。
図１において、リング断面５ａ、５ｂが円形の合成樹脂製のリング１ａ、１ｂの円周上に開閉口２ａ、２ｂを設ける。この開閉口２ａ、２ｂはそれぞれのリング１ａ又は１ｂの同軸において突合せ状の一重のリングで、突合せ面双方は常態では閉口しているが、リング同士を繋脱するときは図のように開閉口２ａを矢印方向にＣの字状に押し開く。リング１ｂはリング１ａのリング面に対して直交した面の状態で開閉口２ａを通して繋脱する。開閉口２ａは押し開いた時のリングの弾性応力により再び閉口する。また、開閉口２ａはスプリングワッシャー状に押し開いてリング同士を繋脱することも可能である。なお、繋脱において少なくとも一方のリングは開閉口のあるリングで、他方のリングは開閉口のないリングでも繋脱は可能であることは云うまでもない。【００１８】  図２（ａ）に示す実施例では、開閉口１２ａの突合せ面双方に、リング１１ａの軸方向において嵌脱する凹凸部材による結合部１３ａを設け、結合されている。【００１９】  図３（ａ）に示す実施例では、開閉口２２の突合せ面双方にリング２１の軸方向において嵌脱する凹凸部材による結合部２３の軸周りにネジ２４を形成し螺嵌結合されている。なお、ネジ２４には捩じ込みの入り口をネジ周り一周に均等間隔で四ヶ所設け、捩じ込み終点は４分の１回転以内にネジ山によりストップするストッパーを設ける。つまり、螺嵌脱する際は４分の１回転以内の捩じりを要する。【００２０】  図３（ｂ）に示す実施例では、前記図３（ａ）のリングを二分割し、弧状のリング片３１ａ、３１ｂに分け、それぞれの両端に螺嵌脱する結合部３３ａ、３３ｂにはネジ３４ａ、３４ｂが形成してあり、螺嵌結合されている。【００２１】  図２（ｂ）に示す実施例では、開閉口１２ｂの突合せ接合面は接合部１３ｂのカップ状の面により面接合している。【００２２】  図４に示す実施例は、作業台４６の作業面に設けた塑性体層４７の任意の位置にリング４１ａ、４１ｂを植立により仮固定する。そしてこれを脚台にして橋桁を架けるように前記リング４１ａ、４１ｂに直交した面によりリング４１を繋環する。【００２３】  図５（ａ）に示す実施例では、所定形状の造形の場合で、（特許出願公開１０−１０８９２４、名称「球面に鎖の網を設けた球技用のボール」参照）立体的な網状の形成を示している。補助装置の作業台５６はボール形状の球体でウレタンフォームの柔らかいスポンジでできている。その球面にリングを植立するための切り込みを入れてポケット５８を形成したものである。そして、ポケットの位置は正５角形と正６角形の組合せによる３２面体の辺が現わす模様状（サッカーボールのシーム線の模様状）に配置されている。【００２４】  図５（ｂ）に示す実施例は、前記の補助装置、図５（ａ）の一部分で、各角形の頂点部分を拡大した図である。ポケット５８ａ、５８ｂ、５８ｃにリング５１ａ、５１ｂ、５１ｃを植立し、このリング５１ａ、５１ｂ、５１ｃに直交したリング５１で植立した三つのリング５１ａ、５１ｂ、５１ｃを束ねるように繋環する。また、上記の繋環作業順序は逆でもよい、つまり、リング５１のリングで三つのリング５１ａ、５１ｂ、５１ｃを束ねておいてからリング５１ａ、５１ｂ、５１ｃを植立す���方法である。このような作業パターンでボール形状の作業台を包むチェーンリングによる網を形成する。次にポケット５８ａ、５８ｂ、５８ｃ、・・からチェーンリングを抜き取る。ボール形状の作業台５６はそのまま鎖の網の中に中実ボールとして残しておいてもよいが、他の中実ボールと入れ替えてもよい。なお、開閉口の接合、または結合の際、必要に応じ接着剤などで固着してもよい。
【発明の効果】
【００２５】突合せ状開閉口において、リング同士の繋脱し易さを考えれば、開閉口の突合せ部分の継ぎ目に楔状の段差をつけた受け口を設け、その受け口に他方のリングを押し込むことにより繋脱を促すこともよいが、本発明においては、受け口による段差のないフラットなチェーンリングとした。このことによりバランスのよい繋環、受け口を介したリング同士の不用意な繋環の外れ防止の効果、そして開閉口の継ぎ目が目立たないスマートさと、洗練された基本的なリングの形状とにより、リング工芸としての造形用材料となる。
【００２６】  請求項５記載の繋脱自在チェーンリングに於いて、断面略長円形のリングにすることによりチェーンリングの螺入結合の際に次のような効果が得られる。
（イ）開閉口の両端双方を両手の指先で摘んで、相対的に逆回転方向に捩じる場合、捩じりに対する滑り止めになる。
（ロ）請求項７記載のチェーンリングの結合方法に於いて、開閉口の両端双方を前もって相対的に逆回転方向に捩じるが、この時、結合部のリング周壁に一時的に軸の長径と短径による段差の変化を生じ、これが捩じり具合の目印になる。
【００２７】  請求項６記載の面接合による繋脱自在チェーンリングに於いて、繋脱のための開閉口を押し開く動作が単純であり、リングを構成する素材の弾性により再び自動的に元に戻って閉じようとするので、作業工程が省略され能率的である。また、開閉口の構造がシンプルであり造形用材料として使い易い機能を備え、コストも安く生産できる。また、同心円断面、（例えばカップ状、略凹凸状）による面接合はリングの同軸における突合せ軸のずれ防止の効果がある。
【００２８】  請求項７記載の繋脱自在チェーンリングの捩じりを伴う開閉口の結合は、前もって捩っておいたリングの反発の応力を利用して捩じ込むのでネジの緩み回転が抑えられ、機能的に外れにくい性向が得られるので用途も広がり、たとえば、物と物を繋脱する補助具としてのジョイントなどにも使える。また、プラスチックチェーンのリングに使えば、繋脱自在性を活かし色違いによる彩色性のある柵の仕切り用チェーンも簡単に出来る。
【００２９】  請求項８記載の一重の丸環で突合せ状の開閉口による繋脱自在のチェーンリングは、牽引には弱い構造であるが、この一重の丸環はデザイン面でも洗練された美しさがあり、また、一つのリングに同形のリング数個を平面方向または立体的方向にバランスよく繋環でき、造形用材料として基本的な機能と形状を備えている。特に持続的な牽引強度を重視しない使用における利用方法として、ビーズのように多彩色を活かしたデザイン用リング材を始め、知育用材、アクセサリー、そして、図５に示す実施例のボールのほか、さらに、カーテン、簾、インテリアデザインなどの用材、又は整理用品、ジョイントなどとして提供する。
【００３０】  図５（ａ）のボール状の作業台において、球面に配設されたポケットは設計図同様、目でリングの全体的な配置を確認しながら繋環作業ができるガイド役、及びリングの仮固定装置を兼ねている。そして、繋環作業はこのボール状の作業台で行うため作業が分かり易く、形の崩れやすい網状の立体的な造形も、その形が顕在化した状態で作業手順を理解しながら進められる。つまり、タイルの埋め込み感覚で即応したイメージの中でできるので、ミスのない安定した作業を効率よく、しかも楽しみながらできる。また、この繋脱自在チェーンリングによる造形は作品のリング一個単位での部分修正、又は変更が簡単にできる利点がある。
【図面の簡単な説明】
【図１】  リング同士の繋脱を示す平面図である。
【図２】  結合（ａ）と接合（ｂ）の実施例を示す開閉口部の縦断面図である。
【図３】  開閉口の螺嵌結合によるリングの実施例を示す断面図である。
【図４】  手作りのための補助装置の実施例を示す縦断面図である。
【図５】  手作りのための補助装置の実施例を示す斜視図である。
【符号の説明】
１ａ、１ｂ、１１ａ、１１ｂ、２１、４１、４１ａ、４１ｂ、５１、５１ａ、５１ｂ、５１ｃ    リング
３１ａ、３１ｂ    リング片
２ａ、２ｂ、１２ａ、１２ｂ、２２、３２ａ、３２ｂ、４２、４２ａ、４２ｂ、５２    開閉口
１３ａ、２３、３３ａ、３３ｂ    結合部
１３ｂ    接合部
２４、３４ａ、３４ｂ    ネジ
５ａ、５ｂ、２５、３５    リング断面
４６、５６    作業台
４７    塑性体層
５８、５８ａ、５８ｂ、５８ｃ    ポケット
【図１】
2006043456.tif 000003
【図２】
2006043456.tif 000004
【図３】
2006043456.tif 000005
【図４】
2006043456.tif 000006
【図５】
2006043456.tif 000007